(57)【要約】【課題】従来技術において、移動局装置は、１回送信のＡ−ＳＲＳについては動的に周波数ポジションを変えるためには、ＤＣＩフォーマットに周波数ポジションを追加しなければならず、ＤＣＩフォーマットのオーバーヘッドを増大させる。【解決手段】基地局装置から通知された無線リソース制御信号と下りリンク制御情報フォーマットを受信する手段と、無線リソース制御信号に従って、サウンディング参照信号の周波数ホッピングを設定する手段と、下りリンク制御情報フォーマットにサウンディング参照信号の送信指示が含まれている場合には、サウンディング参照信号を基地局装置へ送信する手段と、サウンディング参照信号の送信回数を計測する手段と、を少なくとも有することを特徴とする移動局装置。【選択図】図２
2012080328.tif 000002
【特許請求の範囲】
【請求項１】
基地局装置と移動局装置とが無線通信を行う無線通信システムであって、
前記基地局装置は、
サウンディング参照信号の周波数ホッピング指示を含む無線リソース制御信号を前記移動局装置へ通知し、
サウンディング参照信号の送信指示を含む下りリンク制御情報フォーマットを前記移動局装置へ通知し、
前記移動局装置は、
前記無線リソース制御信号に従って、前記サウンディング参照信号の周波数ホッピングを設定し、
前記下りリンク制御情報フォーマットに前記サウンディング参照信号の送信指示が含まれている場合には、前記サウンディング参照信号を前記基地局装置へ送信し、
前記サウンディング参照信号の送信回数を計測する
ことを特徴とする無線通信システム。
【請求項２】
基地局装置と移動局装置とが無線通信を行う無線通信システムであって、
前記基地局装置は、
サウンディング参照信号の周波数ホッピング指示を含む無線リソース制御信号を前記移動局装置へ通知し、
サウンディング参照信号の送信指示を含む下りリンク制御情報フォーマットを前記移動局装置へ通知し、
前記移動局装置は、
前記無線リソース制御信号に従って、前記サウンディング参照信号の周波数ホッピングを設定し、
物理ランダムアクセスチャネルの送信回数計測用のプリアンブル送信カウンタをサウンディング参照信号の送信回数計測用として割り当て、
前記下りリンク制御情報フォーマットに前記サウンディング参照信号の送信指示が含まれている場合には、前記サウンディング参照信号を前記基地局装置へ送信し、
前記サウンディング参照信号の送信回数を前記プリアンブル送信カウンタで計測する
ことを特徴とする無線通信システム。
【請求項３】
基地局装置と移動局装置とが無線通信を行う無線通信システムであって、
前記基地局装置は、
サウンディング参照信号の周波数ホッピング指示を含む無線リソース制御信号を前記移動局装置へ通知し、
サウンディング参照信号の送信指示を含む下りリンク制御情報フォーマットを前記移動局装置へ通知し、
前記移動局装置は、
前記無線リソース制御信号に従って、前記サウンディング参照信号の周波数ホッピングを設定し、
スケジューリング要求の送信回数計測用のスケジューリング要求カウンタをサウンディング参照信号の送信回数計測用として割り当て、
前記下りリンク制御情報フォーマットに前記サウンディング参照信号の送信指示が含まれている場合には、前記サウンディング参照信号を前記基地局装置へ送信し、
前記サウンディング参照信号の送信回数を前記スケジューリング要求カウンタで計測する
ことを特徴とする無線通信システム。
【請求項４】
基地局装置と移動局装置とが無線通信を行う無線通信システムであって、
前記基地局装置は、
サウンディング参照信号の周波数ホッピング指示を含む無線リソース制御信号を前記移動局装置へ通知し、
サウンディング参照信号の送信指示を含む下りリンク制御情報フォーマットを前記移動局装置へ通知し、
前記移動局装置は、
前記無線リソース制御信号に従って、前記サウンディング参照信号の周波数ホッピングを設定し、
前記下りリンク制御情報フォーマットに前記サウンディング参照信号の送信指示が含まれ、尚且つ同じタイミングで前記サウンディング参照信号と物理ランダムアクセスチャネルが配置された場合には、前記サウンディング参照信号と前記物理ランダムアクセスチャネルを前記基地局装置へ送信し、
前記サウンディング参照信号の送信回数をスケジューリング要求カウンタで計測する
ことを特徴とする無線通信システム。
【請求項５】
基地局装置と移動局装置とが無線通信を行う無線通信システムであって、
前記基地局装置は、
サウンディング参照信号の周波数ホッピング指示を含む無線リソース制御信号を前記移動局装置へ通知し、
サウンディング参照信号の送信指示を含む下りリンク制御情報フォーマットを前記移動局装置へ通知し、
前記移動局装置は、
前記無線リソース制御信号に従って、前記サウンディング参照信号の周波数ホッピングを設定し、
前記下りリンク制御情報フォーマットに前記サウンディング参照信号の送信指示が含まれ、尚且つ同じタイミングで前記サウンディング参照信号とスケジューリング要求が配置された場合には、前記サウンディング参照信号と前記スケジューリング要求を前記基地局装置へ送信し、
前記サウンディング参照信号の送信回数をプリアンブル送信カウンタで計測する
ことを特徴とする無線通信システム。
【請求項６】
前記移動局装置は、
前記サウンディング参照信号の送信回数を計測している期間内に、物理ランダムアクセスチャネルを送信する場合には、前記サウンディング参照信号の送信回数をスケジューリング要求カウンタで計測する
ことを特徴とする請求項２に記載の無線通信システム。
【請求項７】
前記移動局装置は、
前記サウンディング参照信号の送信回数を計測している期間内に、スケジューリング要求を送信する場合には、前記サウンディング参照信号の送信回数をプリアンブル送信カウンタで計測する
ことを特徴とする請求項３に記載の無線通信システム。
【請求項８】
前記基地局装置は、
サウンディング参照信号の送信指示を含む下りリンク制御情報フォーマットを前記移動局装置へ通知し、
前記移動局装置は、
前記下りリンク制御情報フォーマットに前記サウンディング参照信号の送信指示が含まれている場合には、前記送信回数を基に、サウンディング参照信号のリソース割り当て位置を算出し、
前記サウンディング参照信号を前記基地局装置へ送信し、
前記サウンディング参照信号の送信回数を計測する
ことを特徴とする請求項１から請求項７のいずれかに記載の無線通信システム。
【請求項９】
前記移動局装置は、
スケジューリング要求と物理ランダムアクセスチャネルを同じタイミングで送信する場合には、前記スケジューリング要求カウンタまたは前記プリアンブル送信カウンタは、前記サウンディング参照信号の送信回数を計測しない
ことを特徴とする請求項２から請求項８に記載の無線通信システム。
【請求項１０】
前記移動局装置は、
スケジューリング要求と物理ランダムアクセスチャネルを同じタイミングで送信する場合には、前記サウンディング参照信号の周波数ホッピングを行わない
ことを特徴とする請求項２から請求項９に記載の無線通信システム。
【請求項１１】
前記基地局装置は、
サウンディング参照信号の送信指示を送る度に
周波数ホッピングによるサウンディング参照信号のリソース割り当て位置を算出し、
前記リソース割り当て位置のチャネル推定を行う
ことを特徴とする請求項１から請求項１０に記載の無線通信システム。
【請求項１２】
基地局装置と無線通信を行う移動局装置であって、
前記基地局装置から通知された無線リソース制御信号と下りリンク制御情報フォーマットを受信する手段と、
前記無線リソース制御信号に従って、サウンディング参照信号の周波数ホッピングを設定する手段と、
前記下りリンク制御情報フォーマットにサウンディング参照信号の送信指示が含まれている場合には、前記サウンディング参照信号を前記基地局装置へ送信する手段と、
前記サウンディング参照信号の送信回数を計測する手段と、を少なくとも有する
ことを特徴とする移動局装置。
【請求項１３】
基地局装置と無線通信を行う移動局装置であって、
前記基地局装置から通知された無線リソース制御信号と下りリンク制御情報フォーマットを受信する手段と、
前記無線リソース制御信号に従って、サウンディング参照信号の周波数ホッピングを設定する手段と、
物理ランダムアクセスチャネルの送信回数計測用のプリアンブル送信カウンタをサウンディング参照信号の送信回数計測用として割り当てる手段と、
前記下りリンク制御情報フォーマットにサウンディング参照信号の送信指示が含まれている場合には、前記サウンディング参照信号を前記基地局装置へ送信する手段と、
前記サウンディング参照信号の送信回数を前記プリアンブル送信カウンタで計測する手段と、を少なくとも有する
ことを特徴とする移動局装置。
【請求項１４】
基地局装置と無線通信を行う移動局装置であって、
前記基地局装置から通知された無線リソース制御信号と下りリンク制御情報フォーマットを受信する手段と、
前記無線リソース制御信号に従って、サウンディング参照信号の周波数ホッピングを設定する手段と、
スケジューリング要求の送信回数計測用のスケジューリング要求カウンタをサウンディング参照信号の送信回数計測用として割り当てる手段と、
前記下りリンク制御情報フォーマットにサウンディング参照信号の送信指示が含まれている場合には、前記サウンディング参照信号を前記基地局装置へ送信する手段と、
前記サウンディング参照信号の送信回数を前記スケジューリング要求カウンタで計測する手段と、を少なくとも有する
ことを特徴とする移動局装置。
【請求項１５】
基地局装置と無線通信を行う移動局装置であって、
前記基地局装置から通知された無線リソース制御信号と下りリンク制御情報フォーマットを受信する手段と、
前記無線リソース制御信号に従って、サウンディング参照信号の周波数ホッピングを設定する手段と、
前記下りリンク制御情報フォーマットに前記サウンディング参照信号の送信指示が含まれ、尚且つ同じタイミングで前記サウンディング参照信号と物理ランダムアクセスチャネルが配置された場合には、前記サウンディング参照信号と前記物理ランダムアクセスチャネルを前記基地局装置へ送信する手段と、
前記サウンディング参照信号の送信回数をスケジューリング要求カウンタで計測する手段と、を少なくとも有する
ことを特徴とする移動局装置。
【請求項１６】
基地局装置と無線通信を行う移動局装置であって、
前記基地局装置から通知された無線リソース制御信号と下りリンク制御情報フォーマットを受信する手段と、
前記無線リソース制御信号に従って、サウンディング参照信号の周波数ホッピングを設定する手段と、
前記下りリンク制御情報フォーマットに前記サウンディング参照信号の送信指示が含まれ、尚且つ同じタイミングで前記サウンディング参照信号とスケジューリング要求が配置された場合には、前記サウンディング参照信号と前記スケジューリング要求を前記基地局装置へ送信する手段と、
前記サウンディング参照信号の送信回数をプリアンブル送信カウンタで計測する手段と、を少なくとも有する
ことを特徴とする移動局装置。
【請求項１７】
前記移動局装置は、
前記サウンディング参照信号の送信回数を計測している期間内に、物理ランダムアクセスチャネルを送信する場合には、前記サウンディング参照信号の送信回数をスケジューリング要求カウンタで計測する手段を少なくとも有する
ことを特徴とする請求項１３に記載の移動局装置。
【請求項１８】
前記移動局装置は、
前記サウンディング参照信号の送信回数を計測している期間内に、スケジューリング要求を送信する場合には、前記サウンディング参照信号の送信回数をプリアンブル送信カウンタで計測する手段を少なくとも有する
ことを特徴とする請求項１４に記載の移動局装置。
【請求項１９】
基地局装置と移動局装置とが無線通信を行う無線通信方法であって、
前記基地局装置は、
サウンディング参照信号の周波数ホッピング指示を含む無線リソース制御信号を前記移動局装置へ通知するステップと、
サウンディング参照信号の送信指示を含む下りリンク制御情報フォーマットを前記移動局装置へ通知するステップと、
前記移動局装置は、
前記無線リソース制御信号に従って、前記サウンディング参照信号の周波数ホッピングを設定するステップと、
前記下りリンク制御情報フォーマットに前記サウンディング参照信号の送信指示が含まれている場合には、前記サウンディング参照信号を前記基地局装置へ送信するステップと、
前記サウンディング参照信号の送信回数を計測するステップと、を少なくとも含む
ことを特徴とする無線通信方法。
【請求項２０】
基地局装置と移動局装置とが無線通信を行う無線通信方法であって、
前記基地局装置は、
サウンディング参照信号の周波数ホッピング指示を含む無線リソース制御信号を前記移動局装置へ通知するステップと、
サウンディング参照信号の送信指示を含む下りリンク制御情報フォーマットを前記移動局装置へ通知するステップと、
前記移動局装置は、
前記無線リソース制御信号に従って、前記サウンディング参照信号の周波数ホッピングを設定するステップと、
物理ランダムアクセスチャネルの送信回数計測用のプリアンブル送信カウンタをサウンディング参照信号の送信回数計測用として割り当てるステップと、
前記下りリンク制御情報フォーマットに前記サウンディング参照信号の送信指示が含まれている場合には、前記サウンディング参照信号を前記基地局装置へ送信するステップと、
前記サウンディング参照信号の送信回数を前記プリアンブル送信カウンタで計測するステップと、を少なくとも含む
ことを特徴とする無線通信方法。
【請求項２１】
基地局装置と移動局装置とが無線通信を行う無線通信方法であって、
前記基地局装置は、
サウンディング参照信号の周波数ホッピング指示を含む無線リソース制御信号を前記移動局装置へ通知するステップと、
サウンディング参照信号の送信指示を含む下りリンク制御情報フォーマットを前記移動局装置へ通知するステップと、
前記移動局装置は、
前記無線リソース制御信号に従って、前記サウンディング参照信号の周波数ホッピングを設定するステップと、
スケジューリング要求の送信回数計測用のスケジューリング要求カウンタをサウンディング参照信号の送信回数計測用として割り当てるステップと、
前記下りリンク制御情報フォーマットに前記サウンディング参照信号の送信指示が含まれている場合には、前記サウンディング参照信号を前記基地局装置へ送信するステップと、
前記サウンディング参照信号の送信回数を前記スケジューリング要求カウンタで計測するステップと、を少なくとも含む
ことを特徴とする無線通信方法。
【請求項２２】
基地局装置と移動局装置とが無線通信を行う無線通信方法であって、
前記基地局装置は、
サウンディング参照信号の周波数ホッピング指示を含む無線リソース制御信号を前記移動局装置へ通知するステップと、
サウンディング参照信号の送信指示を含む下りリンク制御情報フォーマットを前記移動局装置へ通知するステップと、
前記移動局装置は、
前記無線リソース制御信号に従って、前記サウンディング参照信号の周波数ホッピングを設定するステップと、
前記下りリンク制御情報フォーマットに前記サウンディング参照信号の送信指示が含まれ、尚且つ同じタイミングで前記サウンディング参照信号と物理ランダムアクセスチャネルが配置された場合には、前記サウンディング参照信号と前記物理ランダムアクセスチャネルを前記基地局装置へ送信するステップと、
前記サウンディング参照信号の送信回数をスケジューリング要求カウンタで計測するステップと、を少なくとも含む
ことを特徴とする無線通信方法。
【請求項２３】
基地局装置と移動局装置とが無線通信を行う無線通信方法であって、
前記基地局装置は、
サウンディング参照信号の周波数ホッピング指示を含む無線リソース制御信号を前記移動局装置へ通知するステップと、
サウンディング参照信号の送信指示を含む下りリンク制御情報フォーマットを前記移動局装置へ通知するステップと、
前記移動局装置は、
前記無線リソース制御信号に従って、前記サウンディング参照信号の周波数ホッピングを設定するステップと、
前記下りリンク制御情報フォーマットに前記サウンディング参照信号の送信指示が含まれ、尚且つ同じタイミングで前記サウンディング参照信号とスケジューリング要求が配置された場合には、前記サウンディング参照信号と前記スケジューリング要求を前記基地局装置へ送信するステップと、
前記サウンディング参照信号の送信回数をプリアンブル送信カウンタで計測するステップと、を少なくとも含む
ことを特徴とする無線通信方法。
【請求項２４】
前記移動局装置は、
前記サウンディング参照信号の送信回数を計測している期間内に、物理ランダムアクセスチャネルを送信する場合には、前記サウンディング参照信号の送信回数をスケジューリング要求カウンタで計測するステップを少なくとも含む
ことを特徴とする請求項２０に記載の無線通信方法。
【請求項２５】
前記移動局装置は、
前記サウンディング参照信号の送信回数を計測している期間内に、スケジューリング要求を送信する場合には、前記サウンディング参照信号の送信回数をプリアンブル送信カウンタで計測するステップを少なくとも含む
ことを特徴とする請求項２１に記載の無線通信方法。
【発明の詳細な説明】
【技術分野】
【０００１】
本発明は、移動局装置と基地局装置から構成される無線通信システムに関し、特に、移動局装置のチャネル測定用の参照信号の送信制御方法に関する。
【背景技術】
【０００２】
従来から、セルラー移動通信の無線アクセス方式および無線ネットワークの進化（以下、「Long Term Evolution (LTE)」、または、「Evolved Universal Terrestrial Radio Access (EUTRA)」とも呼称する）、および、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」とも呼称する）が、第三世代パートナーシッププロジェクト（3rd Generation Partnership Project; 3GPP）において検討されている。
【０００３】
ＬＴＥにおける通信方式としては、互いに直交するサブキャリアを用いてユーザ多重化を行うＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-s-OFDM with Spectrum Division Control、DFT-precoded OFDMとも呼称する）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ−Ａでは、一般的な無線通信システムで使用する周波数帯域は連続であるのに対し、連続および／または不連続な複数の周波数帯域（以下、「コンポーネントキャリア（CC: Component Carrier）」または「キャリアコンポーネント（CC: Carrier Component）」とも呼称する）を複合的に使用して、１つの広帯域な周波数帯域として運用する（周波数帯域集約：Carrier aggregationとも呼称する）ことが提案されている。また、基地局装置と移動局装置（UE: User Equipment）が、広帯域な周波数帯域をより柔軟に使用して通信するために、下りリンクの通信に使用される周波数帯域と上りリンクの通信に使用される周波数帯域を異なる周波数帯域幅とする（非対称周波数帯域集約：Asymmetric carrier aggregation）ことも提案されている（非特許文献１）。
【０００６】
図７は、従来の技術における周波数帯域集約された無線通信システムを説明する図である。図７に示されるような下りリンク（DL: Down Link）の通信に使用される周波数帯域と上りリンク（UL: Up Link）の通信に使用される周波数帯域を同じ帯域幅とすることは、対称周波数帯域集約（Symmetric carrier aggregation）とも呼称する。図７に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行うことができる。
【０００７】
図７では、例として、１００ＭＨｚの帯域幅を持った下りリンクの通信に使用される周波数帯域（ＤＬシステム帯域（幅）でも良い）が、２０ＭＨｚの帯域幅を持った５つの下りリンクコンポーネントキャリア（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用される周波数帯域（ＵＬシステム帯域（幅）でも良い）が、２０ＭＨｚの帯域幅を持った５つの上りリンクコンポーネントキャリア（ＵＣＣ１：Uplink Component Carrier１、ＵＣＣ２、ＵＣＣ３、ＵＣＣ４、ＵＣＣ５）によって構成されていることを示している。
【０００８】
図７において、下りリンクコンポーネントキャリアそれぞれには、物理下りリンク制御チャネル（PDCCH: Physical Downlink Control Channel）、物理下りリンク共用チャネル（PDSCH: Physical Downlink Shared Channel）等の下りリンクのチャネルが配置される。
【０００９】
基地局装置は、ＰＤＳＣＨを使用して送信される下りリンクトランスポートブロックを送信するための下りリンク制御情報（DCI: Downlink Control Information）を、ＰＤＣＣＨを使用して移動局装置へ割り当てる（スケジュールする）。基地局装置は、ＰＤＳＣＨを使用して、下りリンクトランスポートブロックを移動局装置へ送信する。ここで、図７において、基地局装置は、同一サブフレームで、最大５つまでの下りリンクトランスポートブロック（ＰＤＳＣＨでも良い）を移動局装置へ送信することができる。
【００１０】
また、上りリンクコンポーネントキャリアそれぞれには、物理上りリンク制御チャネル（PUCCH: Physical Uplink Control Channel）、物理上りリンク共用チャネル（PUSCH: Physical Uplink Shared Channel）等の上りリンクのチャネルが配置される。
【００１１】
移動局装置は、ＰＵＣＣＨおよび／またはＰＵＳＣＨを使用して、下りリンクのチャネル状態を示すチャネル状態情報（CSI: Channel Statement information）や、下りリンクトランスポートブロックに対するＨＡＲＱにおけるＡＣＫ／ＮＡＣＫ（肯定応答：Positive Acknowledgement／否定応答：Negative Acknowledgement）を示す情報や、スケジューリング要求（SR: Scheduling Request）などの上りリンク制御情報（UCI: Uplink Control Information）を基地局装置へ送信する。ここで、図７において、移動局装置は、同一サブフレームで、最大５つまでの上りリンクトランスポートブロック（ＰＵＳＣＨでも良い）を基地局装置へ送信することができる。
【００１２】
同様に、図８は、従来の技術における非対称周波数帯域集約された無線通信システムを説明する図である。図８に示すように、基地局装置と移動局装置は、下りリンクの通信に使用される周波数帯域と上りリンクの通信に使用される周波数帯域とを異なる帯域幅とし、これらの周波数帯域を構成する連続および／または不連続な周波数帯域であるコンポーネントキャリアを複合的に使用して広帯域な周波数帯域で通信を行うことができる。
【００１３】
図８では、例として、１００ＭＨｚの帯域幅を持った下りリンクの通信に使用される周波数帯域が、２０ＭＨｚの帯域幅を持った５つの下りリンクコンポーネントキャリア（ＤＣＣ１、ＤＣＣ２、ＤＣＣ３、ＤＣＣ４、ＤＣＣ５）によって構成されている。また、例として、４０ＭＨｚの帯域幅を持った上りリンクの通信に使用される周波数帯域が、２０ＭＨｚの帯域幅を持った２つの上りリンクコンポーネントキャリア（ＵＣＣ１、ＵＣＣ２）によって構成されていることを示している。
【００１４】
図８において、下りリンク／上りリンクのコンポーネントキャリアそれぞれには下りリンク／上りリンクのチャネルが配置される。基地局装置は、ＰＤＣＣＨを使用してＰＤＳＣＨを移動局装置へ割り当て（スケジュールし）、ＰＤＳＣＨを使用して下りリンクトランスポートブロックを移動局装置へ送信する。ここで、図８において、基地局装置は、同一サブフレームで、最大５つまでの下りリンクトランスポートブロック（ＰＤＳＣＨでも良い）を移動局装置へ送信することができる。
【００１５】
また、移動局装置は、ＰＵＣＣＨおよび／またはＰＵＳＣＨを使用して、チャネル状態情報や、下りリンクトランスポートブロックに対するＨＡＲＱにおけるＡＣＫ／ＮＡＣＫを示す情報や、スケジューリング要求などの上りリンク制御情報を基地局装置へ送信する。ここで、図８において、移動局装置は、同一サブフレームで、最大２つまでの上りリンクトランスポートブロック（ＰＵＳＣＨでも良い）を基地局装置へ送信することができる。
【００１６】
ＬＴＥ−Ａでは、基地局装置からＰＤＣＣＨで送信要求が通知された時だけ送信するサウンディング参照信号（A-SRS: Aperiodic Sounding Reference Signal）が提案されている。Ａ−ＳＲＳの送信指示（A-SRS activation / deactivation）を下りリンク制御情報（DCI: Downlink Control Information）フォーマット（ＤＣＩフォーマットとも呼称する）に含めることで、移動局装置は、基地局装置がＡ−ＳＲＳの送信を要求しているか否かを判断することができ、ダイナミックにＡ−ＳＲＳの送信制御を行うことができる。また、基地局装置は、移動局装置に対して、下りリンクに対する下りリンク制御情報フォーマット（ＤＣＩフォーマット、下りリンクグラント：Downlink grant、下りリンクアサインメント：Downlink assignmentとも呼称する）を使用して、Ａ−ＳＲＳの送信を指示すること、および上りリンクに対する下りリンク制御情報フォーマット（ＤＣＩフォーマット、上りリンクグラント：UL grant、上りリンクアサインメント：Uplink assignmentとも呼称する）を使用して、Ａ−ＳＲＳの送信を指示することが提案されている。さらに、Ａ−ＳＲＳの送信指示を上りリンクグラントまたは下りリンクアサインメントの１ビット（マルチビット）、または所定のコードポイントで示すことが提案されている（非特許文献２）。
【００１７】
ＬＴＥ−Ａでは、基地局装置が任意の１つの周波数帯域を用いて通信する形態のことを「セル（Cell）」と呼称する。キャリアアグリゲーションは、複数の周波数帯域を用いた複数のセルによる通信であり、セルアグリゲーション（Cell aggregation）とも呼称する。セルアグリゲーションでは、複数のセルが異なる２種類のセルとして定義され、１つのセルがプライマリセル（Primary Cell, Pcell）と定義され、その他のセルがセカンダリセル（Secondary Cell, Scell）と定義される。基地局装置は、プライマリセルとセカンダリセルの設定をセルアグリゲーションを用いる各移動局装置に対して独立に行う。プライマリセルは、必ず１つの下りリンクコンポーネントキャリアと１つの上りリンクコンポーネントキャリアのセットから構成される。セカンダリセルは、少なくとも１つの下りリンクコンポーネントキャリアから構成され、上りリンクコンポーネントキャリアが構成される場合と構成されない場合がある。プライマリセルで用いられるコンポーネントキャリアのことを、プライマリコンポーネントキャリア（Primary CC, PCC）と呼称する。セカンダリセルで用いられるコンポーネントキャリアのことを、セカンダリコンポーネントキャリア（Secondary CC, SCC）と呼称する。プライマリセルおよびセカンダリセルにおいて、物理下りリンク共用チャネルおよび物理上りリンク共用チャネルを用いたデータ通信は共通して行なわれるが、その他の各種処理が異なって行われる。簡単に説明すると、複数の処理がプライマリセルのみで行われ、セカンダリセルでは行われない。例えば、プライマリセルでは、下りリンクにおいてシステム情報の取得、無線品質不足（RLF: Radio Link Failure）の判断などが行われ、上りリンクにおいて物理ランダムアクセスチャネルを用いたランダムアクセス手順の実行、物理上りリンク制御チャネルを用いた上りリンク制御情報の送受信などが行われる。基本的に、セルアグリゲーションを用いないＬＴＥで行われる処理の全てがプライマリセルで行われ、データ通信以外の複数の処理がセカンダリセルでは行われない。
【先行技術文献】
【非特許文献】
【００１８】
【非特許文献１】“Carrier aggregation in LTE-Advanced”, R1-082464, 3GPP TSG RAN WG1 Meeting #53bis, Jun 30 - Jul 4, 2008.
【非特許文献２】“LTE-A Dynamic Aperiodic SRS - Duration, Timing, and Carrier Aggregation”, R1-103187, 3GPP TSG-RAN1 Meeting #61, May 10 - 14, 2010.
【発明の概要】
【発明が解決しようとする課題】
【００１９】
しかしながら、従来技術において、基地局装置によってＡ−ＳＲＳの送信を指示された移動局装置は、Ａ−ＳＲＳ送信を１回送信することができる。広帯域をカバーできない移動局装置に対しては、Ａ−ＳＲＳの送信指示とともにＡ−ＳＲＳのリソース割り当てを指示する周波数ポジションをＤＣＩフォーマットに含めて送信する必要があり、ＤＣＩフォーマットのオーバーヘッドを増大させることが問題であった。
【００２０】
本発明は、上記の点を鑑みてなされたものであり、移動局装置から送信されるＡ−ＳＲＳに基づいて、基地局装置と移動局装置との間で効率的な通信を行うことができる移動局装置、基地局装置、無線通信システム、無線通信方法および集積回路を提供することを目的とする。
【課題を解決するための手段】
【００２１】
（１）上記の目的を達成するために、本発明は、以下のような手段を講じた。すなわち、本発明の無線通信システムは、基地局装置と移動局装置とが無線通信を行う無線通信システムであって、前記基地局装置は、サウンディング参照信号の周波数ホッピング指示を含む無線リソース制御信号を前記移動局装置へ通知し、サウンディング参照信号の送信指示を含む下りリンク制御情報フォーマットを前記移動局装置へ通知し、前記移動局装置は、前記無線リソース制御信号に従って、前記サウンディング参照信号の周波数ホッピングを設定し、前記下りリンク制御情報フォーマットに前記サウンディング参照信号の送信指示が含まれている場合には、前記サウンディング参照信号を前記基地局装置へ送信し、前記サウンディング参照信号の送信回数を計測することを特徴とする。
【００２２】
（２）本発明の無線通信システムは、基地局装置と移動局装置とが無線通信を行う無線通信システムであって、前記基地局装置は、前記基地局装置は、サウンディング参照信号の周波数ホッピング指示を含む無線リソース制御信号を前記移動局装置へ通知し、サウンディング参照信号の送信指示を含む下りリンク制御情報フォーマットを前記移動局装置へ通知し、前記移動局装置は、前記無線リソース制御信号に従って、前記サウンディング参照信号の周波数ホッピングを設定し、物理ランダムアクセスチャネルの送信回数計測用のプリアンブル送信カウンタをサウンディング参照信号の送信回数計測用として割り当て、前記下りリンク制御情報フォーマットに前記サウンディング参照信号の送信指示が含まれている場合には、前記サウンディング参照信号を前記基地局装置へ送信し、前記サウンディング参照信号の送信回数を前記プリアンブル送信カウンタで計測することを特徴とする。
【００２３】
（３）本発明の無線通信システムは、基地局装置と移動局装置とが無線通信を行う無線通信システムであって、前記基地局装置は、サウンディング参照信号の周波数ホッピング指示を含む無線リソース制御信号を前記移動局装置へ通知し、サウンディング参照信号の送信指示を含む下りリンク制御情報フォーマットを前記移動局装置へ通知し、前記移動局装置は、前記無線リソース制御信号に従って、前記サウンディング参照信号の周波数ホッピングを設定し、スケジューリング要求の送信回数計測用のスケジューリング要求カウンタをサウンディング参照信号の送信回数計測用として割り当て、前記下りリンク制御情報フォーマットに前記サウンディング参照信号の送信指示が含まれている場合には、前記サウンディング参照信号を前記基地局装置へ送信し、前記サウンディング参照信号の送信回数を前記スケジューリング要求カウンタで計測することを特徴とする。
【００２４】
（４）本発明の無線通信システムは、基地局装置と移動局装置とが無線通信を行う無線通信システムであって、前記基地局装置は、サウンディング参照信号の周波数ホッピング指示を含む無線リソース制御信号を前記移動局装置へ通知し、サウンディング参照信号の送信指示を含む下りリンク制御情報フォーマットを前記移動局装置へ通知し、前記移動局装置は、前記無線リソース制御信号に従って、前記サウンディング参照信号の周波数ホッピングを設定し、前記下りリンク制御情報フォーマットに前記サウンディング参照信号の送信指示が含まれ、尚且つ同じタイミングで前記サウンディング参照信号とランダムアクセスプリアンブルが配置された場合には、前記サウンディング参照信号と前記物理ランダムアクセスチャネルを前記基地局装置へ送信し、前記サウンディング参照信号の送信回数をスケジューリング要求カウンタで計測することを特徴とする。
【００２５】
（５）本発明の無線通信システムは、基地局装置と移動局装置とが無線通信を行う無線通信システムであって、前記基地局装置は、サウンディング参照信号の周波数ホッピング指示を含む無線リソース制御信号を前記移動局装置へ通知し、サウンディング参照信号の送信指示を含む下りリンク制御情報フォーマットを前記移動局装置へ通知し、前記移動局装置は、前記無線リソース制御信号に従って、前記サウンディング参照信号の周波数ホッピングを設定し、前記下りリンク制御情報フォーマットに前記サウンディング参照信号の送信指示が含まれ、尚且つ同じタイミングで前記サウンディング参照信号とスケジューリング要求が配置された場合には、前記サウンディング参照信号と前記スケジューリング要求を前記基地局装置へ送信し、前記サウンディング参照信号の送信回数をプリアンブル送信カウンタで計測することを特徴とする。
【００２６】
（６）本発明の無線通信システムは、（２）に記載の無線通信システムであって、前記移動局装置は、前記サウンディング参照信号の送信回数を計測している期間内に、物理ランダムアクセスチャネルを送信する場合には、前記サウンディング参照信号の送信回数をスケジューリング要求カウンタで計測することを特徴とする。
【００２７】
（７）本発明の無線通信システムは、（３）に記載の無線通信システムであって、前記移動局装置は、前記サウンディング参照信号の送信回数を計測している期間内に、スケジューリング要求を送信する場合には、前記サウンディング参照信号の送信回数をプリアンブル送信カウンタで計測することを特徴とする。
【００２８】
（８）本発明の無線通信システムは、（１）から（７）に記載の無線通信システムであって、前記基地局装置は、サウンディング参照信号の送信指示を含む下りリンク制御情報フォーマットを前記移動局装置へ通知し、前記移動局装置は、前記下りリンク制御情報フォーマットに前記サウンディング参照信号の送信指示が含まれている場合には、前記送信回数を基に、サウンディング参照信号のリソース割り当て位置を算出し、前記サウンディング参照信号を前記基地局装置へ送信し、前記サウンディング参照信号の送信回数を計測することを特徴とする。
【００２９】
（９）本発明の無線通信システムは、（２）から（８）に記載の無線通信システムであって、前記移動局装置は、スケジューリング要求と物理ランダムアクセスチャネルを同じタイミングで送信する場合には、前記スケジューリング要求カウンタまたは前記プリアンブル送信カウンタは、前記サウンディング参照信号の送信回数を計測しないことを特徴とする。
【００３０】
（１０）本発明の無線通信システムは、（２）から（９）に記載の無線通信システムであって、前記移動局装置は、スケジューリング要求と物理ランダムアクセスチャネルを同じタイミングで送信する場合には、前記サウンディング参照信号の周波数ホッピングを行わないことを特徴とする。
【００３１】
（１１）本発明の無線通信システムは、（１）から（１０）に記載の無線通信システムであって、前記基地局装置は、サウンディング参照信号の送信指示を送る度に周波数ホッピングによるサウンディング参照信号のリソース割り当て位置を算出し、前記リソース割り当て位置のチャネル推定を行うことを特徴とする。
【００３２】
（１２）本発明の移動局装置は、基地局装置と無線通信を行う移動局装置であって、前記基地局装置から通知された無線リソース制御信号と下りリンク制御情報フォーマットを受信する手段と、前記無線リソース制御信号に従って、サウンディング参照信号の周波数ホッピングを設定する手段と、前記下りリンク制御情報フォーマットにサウンディング参照信号の送信指示が含まれている場合には、前記サウンディング参照信号を前記基地局装置へ送信する手段と、前記サウンディング参照信号の送信回数を計測する手段と、を少なくとも有することを特徴とする。
【００３３】
（１３）本発明の移動局装置は、基地局装置と無線通信を行う移動局装置であって、前記基地局装置から通知された無線リソース制御信号と下りリンク制御情報フォーマットを受信する手段と、前記無線リソース制御信号に従って、サウンディング参照信号の周波数ホッピングを設定する手段と、物理ランダムアクセスチャネルの送信回数計測用のプリアンブル送信カウンタをサウンディング参照信号の送信回数計測用として割り当てる手段と、前記下りリンク制御情報フォーマットにサウンディング参照信号の送信指示が含まれている場合には、前記サウンディング参照信号を前記基地局装置へ送信する手段と、前記サウンディング参照信号の送信回数を前記プリアンブル送信カウンタで計測する手段と、を少なくとも有することを特徴とする。
【００３４】
（１４）本発明の移動局装置は、基地局装置と無線通信を行う移動局装置であって、前記基地局装置から通知された無線リソース制御信号と下りリンク制御情報フォーマットを受信する手段と、前記無線リソース制御信号に従って、サウンディング参照信号の周波数ホッピングを設定する手段と、スケジューリング要求の送信回数計測用のスケジューリング要求カウンタをサウンディング参照信号の送信回数計測用として割り当てる手段と、前記下りリンク制御情報フォーマットにサウンディング参照信号の送信指示が含まれている場合には、前記サウンディング参照信号を前記基地局装置へ送信する手段と、前記サウンディング参照信号の送信回数を前記スケジューリング要求カウンタで計測する手段と、を少なくとも有することを特徴とする。
【００３５】
（１５）本発明の移動局装置は、基地局装置と無線通信を行う移動局装置であって、前記基地局装置から通知された無線リソース制御信号と下りリンク制御情報フォーマットを受信する手段と、前記無線リソース制御信号に従って、サウンディング参照信号の周波数ホッピングを設定する手段と、前記下りリンク制御情報フォーマットに前記サウンディング参照信号の送信指示が含まれ、尚且つ同じタイミングで前記サウンディング参照信号と物理ランダムアクセスチャネルが配置された場合には、前記サウンディング参照信号と前記物理ランダムアクセスチャネルを前記基地局装置へ送信する手段と、前記サウンディング参照信号の送信回数をスケジューリング要求カウンタで計測する手段と、を少なくとも有することを特徴とする。
【００３６】
（１６）本発明の移動局装置は、基地局装置と無線通信を行う移動局装置であって、前記基地局装置から通知された無線リソース制御信号と下りリンク制御情報フォーマットを受信する手段と、前記無線リソース制御信号に従って、サウンディング参照信号の周波数ホッピングを設定する手段と、前記下りリンク制御情報フォーマットに前記サウンディング参照信号の送信指示が含まれ、尚且つ同じタイミングで前記サウンディング参照信号とスケジューリング要求が配置された場合には、前記サウンディング参照信号と前記スケジューリング要求を前記基地局装置へ送信する手段と、前記サウンディング参照信号の送信回数をプリアンブル送信カウンタで計測する手段と、を少なくとも有することを特徴とする。
【００３７】
（１７）本発明の移動局装置は、（１３）に記載の移動局装置であって、前記移動局装置は、前記サウンディング参照信号の送信回数を計測している期間内に、物理ランダムアクセスチャネルを送信する場合には、前記サウンディング参照信号の送信回数をスケジューリング要求カウンタで計測する手段を少なくとも有することを特徴とする。
【００３８】
（１８）本発明の移動局装置は、（１４）に記載の移動局装置であって、前記移動局装置は、前記サウンディング参照信号の送信回数を計測している期間内に、スケジューリング要求を送信する場合には、前記サウンディング参照信号の送信回数をプリアンブル送信カウンタで計測する手段を少なくとも有することを特徴とする。
【００３９】
（１９）本発明の無線通信方法は、基地局装置と移動局装置とが無線通信を行う無線通信方法であって、前記基地局装置は、サウンディング参照信号の周波数ホッピング指示を含む無線リソース制御信号を前記移動局装置へ通知するステップと、サウンディング参照信号の送信指示を含む下りリンク制御情報フォーマットを前記移動局装置へ通知するステップと、前記移動局装置は、前記無線リソース制御信号に従って、前記サウンディング参照信号の周波数ホッピングを設定するステップと、前記下りリンク制御情報フォーマットに前記サウンディング参照信号の送信指示が含まれている場合には、前記サウンディング参照信号を前記基地局装置へ送信するステップと、前記サウンディング参照信号の送信回数を計測するステップと、を少なくとも含むことを特徴とする。
【００４０】
（２０）本発明の無線通信方法は、基地局装置と移動局装置とが無線通信を行う無線通信方法であって、前記基地局装置は、サウンディング参照信号の周波数ホッピング指示を含む無線リソース制御信号を前記移動局装置へ通知するステップと、サウンディング参照信号の送信指示を含む下りリンク制御情報フォーマットを前記移動局装置へ通知するステップと、前記移動局装置は、前記無線リソース制御信号に従って、前記サウンディング参照信号の周波数ホッピングを設定するステップと、物理ランダムアクセスチャネルの送信回数計測用のプリアンブル送信カウンタをサウンディング参照信号の送信回数計測用として割り当てるステップと、前記下りリンク制御情報フォーマットに前記サウンディング参照信号の送信指示が含まれている場合には、前記サウンディング参照信号を前記基地局装置へ送信するステップと、前記サウンディング参照信号の送信回数を前記プリアンブル送信カウンタで計測するステップと、を少なくとも含むことを特徴とする。
【００４１】
（２１）本発明の無線通信方法は、基地局装置と移動局装置とが無線通信を行う無線通信方法であって、前記基地局装置は、サウンディング参照信号の周波数ホッピング指示を含む無線リソース制御信号を前記移動局装置へ通知するステップと、サウンディング参照信号の送信指示を含む下りリンク制御情報フォーマットを前記移動局装置へ通知するステップと、前記移動局装置は、前記無線リソース制御信号に従って、前記サウンディング参照信号の周波数ホッピングを設定するステップと、スケジューリング要求の送信回数計測用のスケジューリング要求カウンタをサウンディング参照信号の送信回数計測用として割り当てるステップと、前記下りリンク制御情報フォーマットに前記サウンディング参照信号の送信指示が含まれている場合には、前記サウンディング参照信号を前記基地局装置へ送信するステップと、前記サウンディング参照信号の送信回数を前記スケジューリング要求カウンタで計測するステップと、を少なくとも含むことを特徴とする。
【００４２】
（２２）本発明の無線通信方法は、基地局装置と移動局装置とが無線通信を行う無線通信方法であって、前記基地局装置は、サウンディング参照信号の周波数ホッピング指示を含む無線リソース制御信号を前記移動局装置へ通知するステップと、サウンディング参照信号の送信指示を含む下りリンク制御情報フォーマットを前記移動局装置へ通知するステップと、前記移動局装置は、前記無線リソース制御信号に従って、前記サウンディング参照信号の周波数ホッピングを設定するステップと、前記下りリンク制御情報フォーマットに前記サウンディング参照信号の送信指示が含まれ、尚且つ同じタイミングで前記サウンディング参照信号と物理ランダムアクセスチャネルが配置された場合には、前記サウンディング参照信号と前記物理ランダムアクセスチャネルを前記基地局装置へ送信するステップと、前記サウンディング参照信号の送信回数をスケジューリング要求カウンタで計測するステップと、を少なくとも含むことを特徴とする。
【００４３】
（２３）本発明の無線通信方法は、基地局装置と移動局装置とが無線通信を行う無線通信方法であって、前記基地局装置は、サウンディング参照信号の周波数ホッピング指示を含む無線リソース制御信号を前記移動局装置へ通知するステップと、サウンディング参照信号の送信指示を含む下りリンク制御情報フォーマットを前記移動局装置へ通知するステップと、前記移動局装置は、前記無線リソース制御信号に従って、前記サウンディング参照信号の周波数ホッピングを設定するステップと、前記下りリンク制御情報フォーマットに前記サウンディング参照信号の送信指示が含まれ、尚且つ同じタイミングで前記サウンディング参照信号とスケジューリング要求が配置された場合には、前記サウンディング参照信号と前記スケジューリング要求を前記基地局装置へ送信するステップと、前記サウンディング参照信号の送信回数をプリアンブル送信カウンタで計測するステップと、を少なくとも含むことを特徴とする。
【００４４】
（２４）本発明の無線通信方法は、（２０）に記載の無線通信方法であって、前記移動局装置は、前記サウンディング参照信号の送信回数を計測している期間内に、物理ランダムアクセスチャネルを送信する場合には、前記サウンディング参照信号の送信回数をスケジューリング要求カウンタで計測するステップを少なくとも含むことを特徴とする。
【００４５】
（２５）本発明の無線通信方法は、（２１）に記載の無線通信方法であって、前記移動局装置は、前記サウンディング参照信号の送信回数を計測している期間内に、スケジューリング要求を送信する場合には、前記サウンディング参照信号の送信回数をプリアンブル送信カウンタで計測するステップを少なくとも含むことを特徴とする。
【００４６】
このように、移動局装置は、Ａ−ＳＲＳが１回送信であっても送信回数を計測することで、周波数ホッピングを適用することができる。また、基地局装置は、移動局装置に動的に周波数ポジションを通知する必要がないため、ＤＣＩフォーマットに周波数ポジションを含めて移動局装置に通知する必要がなくなるため、ＤＣＩフォーマットのオーバーヘッドの増大を回避できる。
【発明の効果】
【００４７】
本発明によれば、移動局装置から送信されるＡ−ＳＲＳに基づいて、基地局装置と移動局装置との間で効率的な通信を行うことができる移動局装置、基地局装置、無線通信システム、無線通信方法および集積回路を提供することができる。
【図面の簡単な説明】
【００４８】
【図１】本発明の基地局装置１の概略機能構成を示すブロック図である。
【図２】本発明の移動局装置３の概略機能構成を示すブロック図である。
【図３】移動局装置によるＳＲＳの送信の例を示す図である。
【図４】第２の実施形態におけるサウンディング参照信号送信回数計測用のカウンタの割り当て方法を示すフローチャートである。
【図５】第３の実施形態におけるサウンディング参照信号送信回数計測用のカウンタの割り当て方法を示すフローチャートである。
【図６】ＳＲＳのリソース割り当てと周波数ホッピング（FH: Frequency Hopping）の概略構成を示す図である。
【図７】従来の技術における周波数帯域集約の例を示す図である。
【図８】従来の技術における非対称周波数帯域集約の例を示す図である。
【発明を実施するための形態】
【００４９】
本発明の実施形態の具体的な説明に入る前に、本発明で用いられる通信技術の概要について簡単に説明する。
【００５０】
（物理チャネル）
本発明に使用される物理チャネルには、物理報知チャネル（PBCH: Physical Broadcast Channel）、物理下りリンク共用チャネル（PDSCH: Physical Downlink Shared Channel）、物理下りリンク制御チャネル（PDCCH: Physical Downlink Control Channel）、下りリンク参照信号（DL-RS: Downlink Reference Signal、またはCell-specific Reference Signal）、物理上りリンク共用チャネル（PUSCH: Physical Uplink Shared Channel）、物理上りリンク制御チャネル（PUCCH: Physical Uplink Control Channel）、物理ランダムアクセスチャネル（PRACH: Physical Random Access Channel）、上りリンク参照信号（UL-RS: Uplink Reference Signal）などが含まれる。なお、異なる物理チャネルの種類が追加されても後述する本発明の実施形態は適用できる。
【００５１】
物理報知チャネルは、セル内の移動局装置に対して共通に用いられる制御パラメータ（報知情報）を通知する目的で送信される。ＰＢＣＨで通知されない報知情報は、ＰＤＣＣＨでリソースが通知され、物理下りリンク共用チャネルを用いて送信される。報知情報として、セル個別のＩＤ（Identity）を示すセルグローバルＩＤなどが通知される。ＰＢＣＨは、４０ミリ秒間隔で報知チャネル（BCH: Broadcast Channel）がマッピングされる。４０ミリ秒のタイミングは、移動局装置においてブラインド検出（blind detection）される。すなわち、ＰＢＣＨのタイミング提示のために、移動局装置に対して明示的なシグナリングは送信されない。また、ＰＢＣＨを含むサブフレームは、そのサブフレームだけで復号できる（自己復号可能：self-decodable）。
【００５２】
物理下りリンク制御チャネルは、基地局装置から移動局装置へ送信される下りリンクチャネルであり、ＰＤＳＣＨのリソース割り当て、下りリンクデータ（DL-SCH: Downlink-Shared Channel、下りリンク共用チャネル）に対するハイブリッド自動再送要求（HARQ: Hybrid Automatic Repeat reQuest）情報から構成される下りリンクアサインメント（Downlink Assignment）、および、物理上りリンク共用チャネル（PUSCH: Physical Uplink Shared Channel）のリソース割り当て、上りリンクデータ（UL-SCH: Uplink-Shared Channel、上りリンク共用チャネル）に対するＨＡＲＱ情報である上りリンク送信許可（上りリンクグラント: Uplink Grant）などの下りリンク制御情報（DCI）を移動局装置に通知するために使用されるチャネルである。また、ＰＤＣＣＨは、複数の制御チャネル要素（CCE: Control Channel Element）から構成され、移動局装置は、ＣＣＥから構成されるＰＤＣＣＨを検出することにより基地局装置からのＰＤＣＣＨを受信する。このＣＣＥは、周波数、時間領域において分散している複数のリソースエレメントグループ（REG: Resource Element Group、mini-CCEとも呼称する）によって構成される。ここでリソースエレメントとは１ＯＦＤＭシンボル（時間成分）、１サブキャリア（周波数成分）で構成される単位リソースである。
【００５３】
物理下りリンク制御チャネルで送信される下りリンク制御情報には複数のフォーマットが用意される。下りリンク制御情報（DCI: Downlink Control Information）のフォーマットをＤＣＩフォーマット（DCI format）と呼ぶ。例えば、上りリンクグラントのＤＣＩフォーマットは、移動局装置３がＰＵＳＣＨを１つの送信アンテナポートで送信する場合に用いるＤＣＩフォーマット０、移動局装置３がＰＵＳＣＨをＭＩＭＯ（Multiple Input Multiple Output）を利用した空間多重（SM: Spatial Multiplexing）で送信する場合に用いるＤＣＩフォーマット０Ａなどが用意される。
【００５４】
また、下りリンクアサインメントのＤＣＩフォーマットは、基地局装置がＰＤＳＣＨを１つの送信アンテナポートまたは複数の送信アンテナポートで送信ダイバーシティ方式を用いて送信する場合に用いるＤＣＩフォーマット１、およびＤＣＩフォーマット１よりもビット数の少ないＤＣＩフォーマット１Ａ、およびページング情報などの無線リソース割り当てに用いられるＤＣＩフォーマット１Ａよりも更にビット数の少ないＤＣＩフォーマット１Ｃ、基地局装置がＭＩＭＯを利用したＳＭでＰＤＳＣＨを送信する場合に用いるＤＣＩフォーマット２などが用意されている。ＤＣＩフォーマット０とＤＣＩフォーマット１Ａは、ビット数の少ないほうにビットを挿入することで、この２つのＤＣＩフォーマットのサイズを同じにし、フォーマットを識別するためのフラグ（Flag for format 0 / format 1A differentiation）を含める。
【００５５】
具体的に、上りリンクグラントであるＤＣＩフォーマット０は、ＰＤＣＣＨフォーマット識別（Flag for format 0 / format 1A differentiation）情報、周波数ホッピングフラグ（Frequency hopping flag）、リソースブロック配置とホッピングリソース割り当て（Resource block assignment and hopping resource allocation）情報、変調符号化方式とリダンダンシーバージョン（Modulation and coding scheme and redundancy version）情報、ＮＤＩ（New Data Indicator）情報、スケジュールされたＰＵＳＣＨに対する送信電力制御コマンド（TPC command for scheduled PUSCH）情報、ＤＭ−ＲＳのサイクリックシフト（Cyclic shift for DM-RS）情報、ＣＱＩ送信指示（CQI request）情報、パディングビット（0 padding）情報、巡回冗長検査（CRC: Cyclic Redundancy Check）情報などの制御情報（フィールド、制御情報フィールド、情報フィールド、ビットフィールドとも呼称する）から構成される。
【００５６】
ＰＤＣＣＨフォーマット識別情報は、この下りリンク制御情報のＤＣＩフォーマットの種類、つまりＤＣＩフォーマット０かＤＣＩフォーマット１Ａかを示す情報である。リソースブロック配置とホッピングリソース割り当て情報は、ＰＵＳＣＨのリソースブロック配置とホッピングする場合のリソースの割り当てを示す情報である。変調符号化方式とリダンダンシーバージョン情報は、ＰＵＳＣＨの変調方式および符号化率およびリダンダンシーバージョンを示す情報である。ＮＤＩ情報は、ＰＵＳＣＨが初期送信か再送信かを示す情報である。ＰＵＳＣＨの送信電力制御コマンド情報は、ＰＵＳＣＨの送信電力制御に用いる情報である。ＤＭ−ＲＳのサイクリックシフト情報は、ＤＭ−ＲＳのサイクリックシフトを示す情報である。パディングビット（0 padding）情報は、ＤＣＩフォーマット０とＤＣＩフォーマット１Ａのサイズを同じにするために挿入されるビットであり、値は“０”にセットされる。ＣＱＩ送信指示情報は、基地局装置がＣＱＩを要求した場合に、ＰＵＳＣＨリソースを利用してＣＱＩを配置し、基地局装置へダイナミックに送信することを移動局装置に指示することができる。この時のＣＱＩは非周期的なＣＱＩ（A-CQI: Aperiodic CQI）とも呼称される。
【００５７】
具体的に、下りリンクアサインメントであるＤＣＩフォーマット１Ａは、ＰＤＣＣＨフォーマット識別（Flag for format 0 / format 1A differentiation）情報、仮想リソースブロック（VRB: Virtual Resource Block）の集中配置／分散配置識別（Localized / Distributed VRB assignment flag）情報、リソースブロック配置（Resource Block assignment）情報、変調符号化方式（MCS: Modulation and Coding Scheme）情報、ＨＡＲＱプロセス番号（HARQ process number）情報、ＮＤＩ（New Data Indicator）情報、リダンダンシーバージョン（RV: Redundancy Version）情報、ＰＵＣＣＨの送信電力制御（TPC: Transmission Power Control）コマンド情報、パディングビット（0 padding）情報、巡回冗長検査（CRC: Cyclic Redundancy Check）情報などの制御情報（フィールド、制御情報フィールド、情報フィールド、ビットフィールドとも呼称する）から構成される。
【００５８】
ＰＤＣＣＨフォーマット識別情報は、この下りリンク制御情報のＤＣＩフォーマットの種類、つまりＤＣＩフォーマット０かＤＣＩフォーマット１Ａかを示す情報である。仮想リソースブロックの集中配置／分散配置識別情報は、リソースブロック配置情報で示された仮想リソースブロックを実際のリソースブロックに対応付ける方法（集中配置または分散配置）を示す情報である。リソースブロック配置情報は、ＰＤＳＣＨに割り当てた仮想リソースブロックを示す情報である。変調符号化方式情報は、ＰＤＳＣＨの変調方式および符号化率およびＰＤＳＣＨで送信する下りリンクデータの量に関する情報である。ＨＡＲＱプロセス番号（HARQ process number）情報は、ＤＣＩフォーマット１Ａが対応するＰＤＳＣＨで送信される下りリンクデータが、いずれの番号のＨＡＲＱプロセスに対応するかを示す情報である。ＮＤＩ情報は、ＰＤＳＣＨが初期送信か再送信かを示す情報である。リダンダンシーバージョン情報は、下りリンクデータが符号化されたビット系列のうち、ビット系列のどの部分が送信されているかを示す情報である。ＰＵＣＣＨの送信電力制御コマンドは、ＰＵＣＣＨの送信電力制御に用いられる情報である。パディングビット（0 padding）情報は、ＤＣＩフォーマット０とＤＣＩフォーマット１Ａのサイズを同じにするために挿入されるビットであり、値は“０”にセットされる。
【００５９】
複数の移動局装置に対するグループスケジューリングに使用されるＤＣＩフォーマットは、複数の移動局装置によって受信される必要があるため、全ての移動局装置がＰＤＣＣＨの検索（検出）を試みる共通検索領域（CSS: Common Search Space）に配置される。ここで、ある移動局装置宛のＰＤＣＣＨは、ある移動局装置がＰＤＣＣＨの検索（検出）を試みる移動局装置固有検索領域（USS: User equipment specific Search Space）および共通探索領域に配置される。
【００６０】
基地局装置は、ＤＣＩを基に生成したＣＲＣ符号をＲＮＴＩ（Radio Network Temporary Identity）でスクランブル（Scramble）した系列をＤＣＩに付与して、移動局装置へ送信する。移動局装置は、ＣＲＣ符号がいずれかのＲＮＴＩでスクランブルされているかに応じて、ＤＣＩの解釈を変更する。例えば、移動局装置は、ＤＣＩが、基地局装置から割り当てられたＣ−ＲNＴＩ（Cell-RNTI）またはＳＰＳ（Semi Persistent Scheduling）Ｃ−ＲＮＴＩによってＣＲＣ符号がスクランブルされていた場合には、自装置宛のＤＣＩだと判断する。
【００６１】
ＰＤＣＣＨは、移動局装置毎、種別毎に別々に符号化（Separate Coding）される。すなわち、移動局装置は、複数のＰＤＣＣＨを検出して、下りリンクのリソース割り当てや上りリンクリソース割り当てやその他の制御情報を取得する。各ＰＤＣＣＨには、ＲＮＴＩでスクランブルされたＣＲＣの値が付与されており、移動局装置は、ＰＤＣＣＨが構成される可能性のあるＣＣＥのセットをそれぞれに対してＲＮＴＩでスクランブルされたＣＲＣのデスクランブル（スクランブルの解除）を行い、ＣＲＣの値を取得する。そして、取得したＣＲＣの値を用いてＣＲＣを行い、ＣＲＣが成功したＰＤＣＣＨを自装置宛のＰＤＣＣＨとして取得する。なお、自装置へ割り当てられたＲＮＴＩを用いて他装置へ割り当てられたＲＮＴＩでスクランブルされたＣＲＣのデスクランブルを行った場合には、正しいＣＲＣの値を取得できないため、自装置宛のＰＤＣＣＨと認識しない。これは、ブラインド検出とも呼称され、移動局装置がブラインド検出を行う可能性のあるＣＣＥのセットの範囲は、検索領域（Search Space）と呼称される。すなわち、移動局装置は、検索領域内のＣＣＥに対してブラインド検出を行い、自装置宛のＰＤＣＣＨの検出を行う。
【００６２】
物理下りリンク共用チャネルは、下りリンクデータ（DL-SCH: Downlink-Shared Channel、下りリンク共用チャネルとも呼称する）またはページング情報を送信するために使用されるチャネルである。
【００６３】
下りリンク参照信号は、基地局装置から移動局装置へ下りリンクを利用して送信される。移動局装置は下りリンク参照信号を測定することで下りリンクの受信品質を判定する。受信品質は、品質情報指標であるチャネル品質指標（CQI: Channel Quality Indicator）としてＰＵＣＣＨまたはＰＵＳＣＨを用いて基地局装置へ通知される。基地局装置は移動局装置から通知されたＣＱＩに基づいて、移動局装置に対する下りリンク通信のスケジューリングを行う。なお、受信品質としては、信号対干渉電力比（SIR: Signal-to-Interference Ratio）、信号対干渉雑音電力比（SINR: Signal-to-Interference plus Noise Ratio）、信号対雑音電力比（SNR: Signal-to-Noise Ratio）、搬送波対干渉電力比（CIR: Carrier-to-Interference Ratio）、ブロック誤り率（BLER: Block Error Rate）、パスロス（PL: Pathloss）などを使用することができる。
【００６４】
物理上りリンク共用チャネルは、主に上りリンクデータ（UL-SCH: Uplink Shared Channel、上りリンク共用チャネル）を送信するために使用されるチャネルである。基地局装置が、移動局装置をスケジューリングした場合には、チャネル状態情報（下りリンクのチャネル品質指標（CQI: Channel Quality Indicator）、プレコーディングマトリックス指標（PMI: Precoding Matrix Indicator）、ランク指標（RI: Rank Indicator））や下りリンク送信に対するＨＡＲＱの肯定応答（ACK: Acknowledgement）／否定応答（NACK: Negative Acknowledgement）もＰＵＳＣＨを使用して送信される。ここで、上りリンクデータ（UL-SCH）とは、例えば、ユーザデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングが利用可能である。ＵＬ−ＳＣＨは、動的（ダイナミック）なリソース割り当ておよび準静的なリソース割り当てがサポートされる。
【００６５】
物理上りリンク制御チャネルは、上りリンク制御情報（UCI: Uplink Control Information）を送信するために使用されるチャネルである。ここで、ＵＣＩ（制御データとも呼称する）とは、例えば、移動局装置から基地局装置へ送信（フィードバック）されるチャネル状態情報（ＣＱＩ、ＰＭＩ、ＲＩ）、移動局装置が、上りリンクデータを送信するためのリソースの割り当てを要求する（ＵＬ−ＳＣＨでの送信を要求する）スケジューリング要求（SR: Scheduling Request）、下りリンク送信に対するＨＡＲＱのＡＣＫ／ＮＡＣＫなどが含まれる。
【００６６】
上りリンク参照信号は、移動局装置から基地局装置へ送信される。ＵＬ−ＲＳには、サウンディング参照信号（SRS: Sounding Reference Signal）とデモジュレーション参照信号（DM-RS: Demodulation Reference Signal）とがある。チャネル測定用の参照信号であるＳＲＳは、基地局装置が測定することで、移動局装置の上りリンク無線送信信号の受信品質の判断をし、受信品質に基づく上りリンクのスケジューリングや上りリンクタイミング同期の調整に用いられる。また、ＤＭ−ＲＳは、ＰＵＳＣＨまたはＰＵＣＣＨと共に送信され、ＰＵＳＣＨまたはＰＵＣＣＨの信号の振幅、位相や周波数の変動量を計算し、ＰＵＳＣＨまたはＰＵＣＣＨを利用して送信された信号を復調するための参照信号としても使用される。
【００６７】
ＤＭ−ＲＳの送信帯域幅は、ＰＵＳＣＨまたはＰＵＣＣＨの送信帯域幅と一致するが、ＳＲＳの送信帯域幅は、ＤＭ−ＲＳとは独立に設定される。すなわち、ＳＲＳの送信帯域幅はＰＵＳＣＨまたはＰＵＣＣＨの送信帯域幅と必ずしも一致せず、基地局装置によって予め設定される。また、ＳＲＳは、時間軸方向に対して周波数ホッピングが適用される。ＳＲＳは、周波数ホッピングを用いることで周波数ダイバーシティ効果と干渉の平均化効果が得られる。また、ＳＲＳは、無線リソースを周波数軸方向に分散配置（櫛状（コーム）配置：Transmission Combとも呼称する）される。例えば、周波数軸方向に１サブキャリア置きに無線リソースを配置することができ、複数の移動局装置は、コームの位置（例えば、コーム０とコーム１）を変えて配置することによって、同じ送信タイミングでＳＲＳを周波数分割多元接続（FDMA: Frequency Division Multiple Access）を行うことができる。
【００６８】
Ａ−ＳＲＳは、基地局装置が送信を要求した場合に送信されるチャネル測定用の参照信号であり、Ａ−ＳＲＳを送信するサブフレームは、基地局装置によってＰＤＣＣＨを使用して設定されても良いし、無線リソース制御信号を使用して設定されても良い。また、Ａ−ＳＲＳを送信するサブフレームは、基地局装置によって報知チャネルを使用して設定されても良い。ここで、無線リソース制御信号は、例えば、１００ミリ秒から２００ミリ秒程度の間隔で送信される。
【００６９】
また、Ｐ−ＳＲＳは、基地局装置が予め設定した送信周期に応じて送信されるチャネル測定用の参照信号であり、Ｐ−ＳＲＳを送信するサブフレームは、基地局装置によって無線リソース制御信号を使用して設定されても良いし、報知チャネルを使用して設定されても良い。また、Ａ−ＳＲＳとＰ−ＳＲＳそれぞれの送信周期や送信帯域幅などのＳＲＳのパラメータに関する設定情報（SRS configuration）は、基地局装置で予め設定されてから無線リソース制御信号に含まれて移動局装置に送信されても良い。また、移動局装置は、Ｐ−ＳＲＳにおいて、送信無線フレーム、送信サブフレーム、送信周期から送信回数を算出し、それを用いて周波数ホッピングによる周波数送信位置（周波数ポジション）を算出する。
【００７０】
また、ＳＲＳを送信するサブフレームであるＳＲＳサブフレーム（Ａ−ＳＲＳ、Ｐ−ＳＲＳを送信するサブフレームそれぞれ）は、セル毎に設定しても良いし、移動局装置毎に設定しても良い。Ａ−ＳＲＳとＰ−ＳＲＳを送信するサブフレームは、同じサブフレームを使用して送信しても良いし、異なるサブフレームを使用して送信しても良い。例えば、基地局装置は、Ａ−ＳＲＳを送信するサブフレームを移動局装置毎に設定し、Ｐ−ＳＲＳを送信するサブフレームをセル毎に設定しても良い。ここで、セル毎に設定されたＳＲＳサブフレームをセル固有ＳＲＳサブフレーム、移動局装置毎に設定されたＳＲＳサブフレームを移動局装置固有ＳＲＳサブフレームと呼称する。また、異なる例として、基地局装置は、Ｐ−ＳＲＳを送信するサブフレームをセル毎に設定し、Ｐ−ＳＲＳを送信するサブフレームの一部をＡ−ＳＲＳを送信するサブフレームとしてセル毎または移動局装置毎に設定しても良い。
【００７１】
図３は、移動局装置によるＳＲＳ（Ｐ−ＳＲＳ、Ａ−ＳＲＳ）送信の例を示す図である。図３において、横軸はサブフレーム（時間）を示している。また、縦軸は周波数（周波数帯域）を示している。ここで、図３は、例として、移動局装置による１つの上りリンクコンポーネントキャリア内におけるＳＲＳの送信を示している。
【００７２】
図３に示すように、例えば、基地局装置は、移動局装置に対して、上りリンクコンポーネント毎にＳＲＳ（Ｐ−ＳＲＳ、Ａ−ＳＲＳ）の送信を指示（設定）し、移動局装置は、基地局装置からの指示に従って、上りリンクコンポーネント毎にＳＲＳ（Ｐ−ＳＲＳ、Ａ−ＳＲＳ）を基地局装置へ送信することもできる。すなわち、基地局装置は、Ｐ−ＳＲＳパラメータおよび／またはＡ−ＳＲＳパラメータを、上りリンクコンポーネント毎に、移動局装置へ設定することができる。
【００７３】
ここで、移動局装置が、上りリンク信号をマッピングするＳＣ−ＦＤＭＡシンボルそれぞれは、異なる用途に使用される。例えば、移動局装置が、上りリンク信号を７つのＳＣ−ＦＤＭＡシンボル（０番から６番の７つのＳＣ−ＦＤＭＡシンボル）にマッピングして基地局装置へ送信する場合、ＳＲＳ（Ｐ−ＳＲＳ、Ａ−ＳＲＳ）は、６番目のＳＣ−ＦＤＭＡシンボルにマップされる。
【００７４】
以下、簡単のために、移動局装置は、サブフレームにおいてＳＲＳ（Ｐ−ＳＲＳ、Ａ−ＳＲＳ）を基地局措置へ送信すると記載するが、ＳＲＳ（Ｐ−ＳＲＳ、Ａ−ＳＲＳ）は、サブフレーム内の、あるＳＣ−ＦＤＭＡシンボルにマッピングされて基地局装置へ送信されても良い。また、以下に記載するような、Ｐ−ＳＲＳの送信とＡ−ＳＲＳの送信が同時に生じる（Ｐ−ＳＲＳの送信とＡ−ＳＲＳの送信が衝突する）ことは、Ｐ−ＳＲＳの送信とＡ−ＳＲＳの送信が、シンボルレベルで、同時に生じる（衝突する）ことを示していても良い。
【００７５】
図３では、基地局装置が、ＳＲＳサブフレームとして、サブフレームｎ−２、サブフレームｎ、サブフレームｎ＋２、サブフレームｎ＋４、サブフレームｎ＋６、サブフレームｎ＋８、サブフレームｎ＋１０を移動局装置へ設定していることを示している。移動局装置は、基地局装置によって設定されたＳＲＳサブフレームで、ＳＲＳ（Ｐ−ＳＲＳ、Ａ−ＳＲＳ）を基地局装置へ送信することができる。
【００７６】
また、移動局装置は、基地局装置からＡ−ＳＲＳの送信指示とパラメータとを含むＤＣＩフォーマットが通知されたサブフレームの所定後のサブフレーム（例えば、４サブフレーム後のサブフレーム）で、Ａ−ＳＲＳを送信することができる。また、移動局装置は、基地局装置からＡ−ＳＲＳの送信指示とパラメータとを含むＤＣＩフォーマット（ＰＤＣＣＨでも良い）が通知されたサブフレームの後の、最初のＳＲＳサブフレーム（ＳＲＳを送信可能なサブフレーム）で、Ａ−ＳＲＳを送信することができる。
【００７７】
図３では、移動局装置が、基地局装置からの指示に従って、Ｐ−ＳＲＳ（網線で示される）を、サブフレームｎ−２、サブフレームｎ＋２、サブフレームｎ＋４、サブフレームｎ＋６、サブフレームｎ＋１０で基地局装置へ送信していることを示している。すなわち、移動局装置は、基地局装置によって設定されたインターバル（２サブフレーム毎、２ｍｓ毎）に従って、周期的に（２サブフレーム毎に、２ｍｓ毎に）Ｐ−ＳＲＳを基地局装置へ送信する。
【００７８】
ここで、移動局装置は、サブフレームｎ＋４、サブフレームｎ＋１０で、基地局装置によって設定された送信帯域幅（ＳＲＳ送信帯域幅）に従って、帯域Ｃの一部である（帯域Ｃを分割した帯域の一部である）帯域Ｃ−１でＰ−ＳＲＳを基地局装置へ送信する。また、移動局装置は、サブフレームｎ−２、サブフレームｎ＋２、サブフレームｎ＋６、サブフレームｎ＋１０で、基地局装置によって設定された送信帯域幅（ＳＲＳ送信帯域幅）に従って、帯域Ｃの一部である（帯域Ｃを分割した帯域の一部である）帯域Ｃ−２でＰ−ＳＲＳを基地局装置へ送信する。ここで、移動局装置が、ある帯域（帯域Ｃ−１、帯域Ｃ−２）で、Ｐ−ＳＲＳを送信する送信する順番は、予め定義される（基地局装置によって設定されても良い）。また、基地局装置は、Ｐ−ＳＲＳを１回だけ送信するように、移動局装置へ設定することができる。
【００７９】
また、図３では、移動局装置が、基地局装置からの指示に従って、Ａ−ＳＲＳ（斜線で示される）を、サブフレームｎ、サブフレームｎ＋８で基地局装置へ送信していることを示している。
【００８０】
ここで、移動局装置は、サブフレームｎで、基地局装置によって設定された送信帯域幅（ＳＲＳ送信）帯域幅）に従って、帯域ＡでＡ−ＳＲＳを基地局装置へ送信する。また、移動局装置は、サブフレームｎ＋８で、基地局装置によって設定された送信帯域幅（ＳＲＳ送信）帯域幅）に従って、帯域ＢでＡ−ＳＲＳを基地局装置へ送信する。
【００８１】
また、図３において、サブフレームｎ、サブフレームｎ＋８は、Ｐ−ＳＲＳの送信とＡ−ＳＲＳの送信が同時に生じているサブフレームを示している。図３において、移動局装置は、Ｐ−ＳＲＳの送信とＡ−ＳＲＳの送信が同時に生じた場合には、Ｐ−ＳＲＳを送信せずに（ドロップして）、Ａ−ＳＲＳを基地局装置へ送信することができる。ここで、移動局装置は、Ｐ−ＳＲＳの送信とＡ−ＳＲＳの送信が同時に生じた場合には、Ｐ−ＳＲＳとＡ−ＳＲＳを多重して共に、基地局装置へ送信することもできる。例えば、移動局装置は、Ｐ−ＳＲＳの送信とＡ−ＳＲＳの送信が同時に生じた場合には、Ｐ−ＳＲＳとＡ−ＳＲＳをコード多重（サイクリックシフト多重）して共に、基地局装置へ送信することができる。
【００８２】
ここで、図３では、例として、移動局装置が、基地局装置によって設定されたＳＲＳサブフレーム全てにおいて、ＳＲＳ（Ｐ−ＳＲＳ、Ａ−ＳＲＳ）を送信しているが、移動局装置は、基地局装置によってＳＲＳの送信が指示されていない場合には、ＳＲＳを送信しない。すなわち、移動局装置は、基地局装置によって設定された全てのＳＲＳサブフレームで、ＳＲＳを送信しなくても良い。
【００８３】
物理ランダムアクセスチャネルは、ランダムアクセスプリアンブルを送信するために使用される物理チャネルであり、ガードタイムを持つ。ＰＲＡＣＨは、移動局装置が基地局装置と同期をとることを最大の目的とし、その他に、初期アクセス、ハンドオーバ、再接続要求、およびスケジューリング要求に用いられる。移動局装置は、物理ランダムアクセスチャネル（ランダムアクセスプリアンブル）を基地局装置へ送信すると、プリアンブル送信カウンタで送信回数を計測し、保護タイマーを起動する。物理ランダムアクセスチャネルへの応答（RAR: Random Access Response）が移動局装置へ通知される前に保護タイマーが満了時間に達した場合には、移動局装置は、物理ランダムアクセスチャネルが基地局装置へ到達しなかったと判断し、物理ランダムアクセスチャネルを再送する。その時、プリアンブル送信カウンタで送信回数を計測する。送信回数が所定の回数に達した場合には、ランダムアクセス問題（Random Access Problem）が発生したと判断し、ランダムアクセス問題が生じたことを無線リソース制御層へ通知する。
【００８４】
スケジューリング要求は、移動局装置が基地局装置に対して、ＰＵＳＣＨのリソースの割り当てを要求する情報である。移動局装置は、自装置のバッファに送信する情報データが溜まってきて、ＰＵＳＣＨのリソース割り当てを要求する場合に、ＳＲを送信する。また、移動局装置は、予め基地局装置より割り当てられたＰＵＣＣＨを用いて、ＳＲを基地局装置に送信する。なお、基地局装置は、移動局装置との通信接続開始時に、その移動局装置がＳＲを配置するための周期的なリソースを割り当てる。移動局装置は、スケジューリング要求を基地局装置へ送信すると、スケジューリング要求カウンタで送信回数を計測し、保護タイマーを起動する。スケジューリング要求への応答が移動局装置へ通知される前に保護タイマーが満了時間に達した場合には、移動局装置は、スケジューリング要求が基地局装置へ到達しなかったと判断し、スケジューリング要求を再送する。その時、スケジューリング要求カウンタで送信回数を計測する。送信回数が所定の回数に達した場合には、無線リソース制御層へＰＵＣＣＨ／ＳＲＳを解放（リリース）したことを通知し、設定された下りリンクアサインメントと上りリンクグラントをクリアにし、ランダムアクセスを初期化する。
【００８５】
（ＳＲＳのリソース割り当ておよび周波数ホッピング）
図６は、ＳＲＳのリソース割り当てと周波数ホッピング（FH: Frequency Hopping）の概略構成を示す図である。同図において横軸は時間であり、縦軸は周波数である。同図左側は、ＳＲＳのリソース割り当ての一例を示している。同図左側の例において、時間軸方向に１４個のシンボル（symbol）が並んでいる。７個のシンボルが１スロット（slot）に相当し、１スロットの長さは０．５ミリ秒（ms）である。また、１４個のシンボル（２スロットに相当）が１サブフレームに相当し、１サブフレームの長さは１ミリ秒である。このように１サブフレームが１４シンボルで構成される上りリンク信号において、ＳＲＳは１４番目のシンボル（ＳＲＳシンボルとも呼称する）に配置される。１４番目のシンボルに配置されるＳＲＳのリソース（周波数軸方向の帯域幅）は、上りリンクシステム帯域幅や移動局装置の送信電力に応じて、基地局装置で設定される。また、ＰＲＡＣＨは送信するメッセージの種類やフォーマットに応じて、帯域幅や時間シンボル長を変更して割り当てることができる。ＤＭ−ＲＳは、１サブフレームが１４シンボルで構成される場合、４番目と１１番目のシンボル（ＤＭ−ＲＳシンボルとも呼称する）に配置され、ＤＭ−ＲＳの送信帯域幅は、ＰＵＳＣＨの送信帯域幅と一致する。
【００８６】
また、時間軸方向に対しては、送信する度に周波数位置（周波数ポジション）を変更する周波数ホッピングが適用される。同図右側は、ＳＲＳの周波数ホッピングの一例を示す。同図右側において、送信周期Ｔ毎にＳＲＳが送信されるが、図に示すように、周期Ｔ毎に（つまりＳＲＳを送信する度に）周波数方向にホッピングを行う。移動局装置は、ＳＲＳ設定情報の１つであるホッピング帯域幅がＳＲＳ送信帯域幅よりも広い帯域幅に設定された場合に周波数ホッピングを適用することができる。すなわち、ＳＲＳにおける周波数ホッピング指示とは、ＳＲＳ送信帯域幅よりも広い帯域幅をホッピング帯域幅に設定することである。
【００８７】
［基地局装置の構成］
図１は、本発明の基地局装置１の概略機能構成を示すブロック図である。基地局装置１は、送信部１０１と、受信部１０３と、スケジューリング部１０５と、上位層１０７と、チャネル推定部１０８と、アンテナ１０９とを含んでいる。送信部１０１は、データ制御部１０１１と、変調部１０１３と、無線送信部１０１５とを含んでいる。また、受信部１０３は、無線受信部１０３１と、復調部１０３３と、データ抽出部１０３５とを含んでいる。
【００８８】
データ制御部１０１１は、ユーザデータと制御データとを入力し、スケジューリング部１０５からの指示により、制御データをＰＤＣＣＨに配置し、移動局装置３に対する送信データや制御データをＰＤＳＣＨに配置する。変調部１０１３は、データ変調、入力信号の直列／並列変換、ＩＦＦＴ、ＣＰ挿入、フィルタリングなどの信号処理を行い、送信信号を生成する。無線送信部１０１５は、変調されたデータを無線周波数にアップコンバードした後に、アンテナ１０９を介して、移動局装置３に送信する。また、送信部１０１は、スケジューリング部１０５の指示により、制御情報をＰＤＣＣＨに含めて移動局装置３に送信する。
【００８９】
無線受信部１０３１は、移動局装置３からの上りリンクの信号を受信し、ベースバンド信号にダウンコンバートして、受信データを復調部１０３３に出力する。データ抽出部１０３５は、受信データの正誤を確認し、確認結果をスケジューリング部１０５に通知する。データ抽出部１０３５は、受信データが正しい場合、受信データをユーザデータと制御データに分離する。データ抽出部１０３５は、制御データの中で下りリンクのチャネル品質指示情報、下りリンクデータの成／否（ACK/NACK）などの第２層の制御データはスケジューリング部１０５に出力し、その他の第３層等の制御データとユーザデータは上位層１０７に出力する。データ抽出部１０３５は、受信データが誤りの場合、再送データと合成するために保存しておき、再送データを受信した時に合成処理を行う。
【００９０】
スケジューリング部１０５は、ユーザデータや制御データをＰＤＳＣＨやＰＤＣＣＨに配置するためのスケジューリングを行う。また、スケジューリング部１０５は、上位層１０７からの指示によりＡ−ＳＲＳの送信指示をＰＤＣＣＨ（ＤＣＩフォーマット）に含めて送信するように送信部１０１に指示を出す。
【００９１】
上位層１０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層１０７は、下位層の処理部を統合して制御するため、上位層１０７と、スケジューリング部１０５、チャネル推定部１０８、アンテナ１０９、送信部１０１、受信部１０３との間のインターフェースが存在する（ただし、図示しない）。
【００９２】
上位層１０７は、無線リソース制御部１０７１（制御部とも言う）を有している。また、無線リソース制御部１０７１は、各種設定情報の管理、システム情報の管理、ページング制御、各移動局装置の通信状態の管理、ハンドオーバなどの移動管理、移動局装置毎のバッファ状況の管理、ユニキャストおよびマルチキャストベアラの接続設定の管理、移動局識別子（UEID、またはRNTI（Radio Network Temporary Identifier）とも呼称する）の管理などを行っている。また、上位層１０７は、別の基地局装置への情報および上位ノードへの情報の授受を行う。また、上位層１０７は、ＳＲＳの送信帯域幅などのパラメータをＳＲＳ設定情報として設定および管理を行い、移動局装置３へＳＲＳ設定情報を無線リソース制御信号に含めて通知するようにスケジューリング部１０５に指示する。また、ＳＲＳ設定情報には、Ｐ−ＳＲＳのパラメータだけでなく、Ａ−ＳＲＳのパラメータを含んで通知しても良い。また、上位層１０７は、必要に応じて上りリンクのチャネル測定を行いたい場合には、Ａ−ＳＲＳの送信をスケジューリング部１０５に指示する。また、上位層１０７は、チャネル推定部１０８より得られた上りリンク信号のチャネル推定値に基づいて、移動局装置３の通信環境を判断し、ＰＵＳＣＨの最適なリソース割り当てを行う。また、上位層１０７は、移動局装置３の通信環境を考慮して、最適なＡ−ＳＲＳ送信を移動局装置３に指示することができる。
【００９３】
また、スケジューリング部１０５は、上りリンクのスケジューリングでは、チャネル推定部１０８が出力する上りリンクのチャネル状態（無線伝搬路状態）の推定結果、移動局装置３からのリソース割り当て要求、移動局装置３の使用可能なＰＲＢの情報、上位層１０７から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行う。これら上りリンクのスケジューリングに使用されるスケジューリング情報をデータ制御部１０１１へ出力する。また、上位層１０７からＡ−ＳＲＳの送信を指示された場合には、スケジューリング情報を再設定して、データ制御部１０１１へ出力する。
【００９４】
また、スケジューリング部１０５は、上位層１０７から入力された下りリンクの論理チャネルをトランスポートチャネルにマッピングし、データ制御部１０１１へ出力する。また、スケジューリング部１０５は、データ抽出部１０３５から入力された上りリンクで取得した制御データとトランスポートチャンネルを、必要に応じて処理した後、上りリンクの論理チャネルにマッピングし、上位層１０７へ出力する。
【００９５】
チャネル推定部１０８は、上りリンクデータの復調のために、デモジュレーション参照信号から上りリンクのチャネル状態を推定し、その推定結果を復調部１０３３に出力する。また、上りリンクのスケジューリングを行なうために、サウンディング参照信号から上りリンクのチャネル状態を推定し、その推定結果をスケジューリング部１０５に出力する。
【００９６】
［移動局装置の構成］
図２は、本発明の移動局装置３の概略機能構成を示すブロック図である。移動局装置３は、送信部２０１と、受信部２０３と、スケジューリング部２０５と、参照信号生成部２０６と、上位層２０７と、アンテナ２０９とを含んでいる。送信部２０１は、データ制御部２０１１と、変調部２０１３と、無線送信部２０１５とを含んでいる。また、受信部２０３は、無線受信部２０３１と、復調部２０３３と、データ抽出部２０３５とを含んでいる。
【００９７】
ユーザデータと制御データは、上位層２０７からデータ制御部２０１１に入力される。データ制御部２０１１は、入力されたデータをスケジューリング部２０５からの指示により、ＰＵＳＣＨやＰＵＣＣＨに配置する。変調部２０１３は、ＰＵＳＣＨやＰＵＣＣＨのデータ変調を行い、無線送信部２０１５に出力する。無線送信部２０１５は、変調されたデータと上りリンク参照信号を離散フーリエ変換（DFT: Discrete Fourier Transform）、サブキャリアマッピング、逆高速フーリエ変換（IFFT: Inverse Fast Fourier Transform）、ＣＰ（Cyclic Prefix）挿入、フィルタリングなどの信号処理を行い、送信信号を生成し、無線周波数にアップコンバートした後に、アンテナ２０９を介して、基地局装置１に送信する。
【００９８】
無線受信部２０３１は、基地局装置１からの下りリンク信号を受信し、ベースバンド信号にダウンコンバートして、受信信号を復調部２０３３に出力する。復調部２０３３は、受信データを復調する。データ抽出部２０３５は、受信データをユーザデータと制御データに分離する。また、データ抽出部２０３５は、スケジューリング情報、ランダムアクセス応答メッセージや間欠受信制御に関する制御データやその他の第２層の制御データはスケジューリング部２０５に出力し、ユーザデータを上位層２０７に出力する。また、データ抽出部２０３５は、ＰＤＣＣＨ（ＤＣＩフォーマット）に含まれている制御情報を検出し、上位層２０７に出力する。
【００９９】
スケジューリング部２０５は、データ抽出部２０３５から入力された制御データを解析し、上りリンクのスケジューリング情報を生成し、そのスケジューリング情報を基に、ユーザデータや制御データをＰＵＳＣＨやＰＵＣＣＨに割り当てることをデータ制御部２０１１に指示する。
【０１００】
また、スケジューリング部２０５は、参照信号制御部２０５１を含んでいる。参照信号制御部２０５１は、基地局装置１から送信されたスケジューリング情報を基に、ＳＲＳ設定情報を取り出す。また、ＳＲＳとＰＵＳＣＨやＰＵＣＣＨが同じタイミングで生じた場合の送信制御を行い、ＳＲＳ送信制御情報を生成する。参照信号制御部２０５１は、ＳＲＳ設定情報とＳＲＳ送信制御情報を参照信号生成部２０６に出力する。ここで、ＳＲＳ設定情報とは、ＳＲＳの送信帯域幅や送信周期などのパラメータを設定するための情報である。ＳＲＳ送信制御情報とは、ＳＲＳと他の上りリンクチャネル（ＰＵＳＣＨ、ＰＵＣＣＨ）が同じサブフレームに割り当てられた時のＳＲＳの送信制御方法を示した情報である。例えば、ＳＲＳとＰＵＣＣＨが同じサブフレームで生じた場合、ＳＲＳを送信しないという処理を移動局装置３が行うように指示するための情報である。
【０１０１】
スケジューリング部２０５は、上りリンクのスケジューリングでは、上位層２０７から入力された上りリンクのバッファ状況、データ抽出部２０７から入力された基地局装置１からの上りリンクのスケジューリング情報（トランスポートフォーマットやＨＡＲＱ再送情報など）、および、上位層２０８から入力されたスケジューリング情報などに基づいて、上位層２０７から入力された上りリンクの論理チャネルをトランスポートチャネルにマッピングするためのスケジューリング処理および上りリンクのスケジューリングに使用されるスケジューリング情報の生成を行う。なお、上りリンクのトランスポートフォーマットについては、基地局装置１から通知された情報を利用する。これらスケジューリング情報は、データ制御部２０１１へ出力される。
【０１０２】
また、スケジューリング部２０５は、上位層２０７から入力された上りリンクの論理チャネルをトランスポートチャネルにマッピングし、データ制御部２０１１へ出力する。また、スケジューリング部２０５は、チャネル推定部２０８から入力されたＣＳＩや、ＣＱＩや、ＰＭＩや、ＲＩや、データ抽出部２０７から入力されたＣＲＣチェックの確認結果についても、データ制御部２０１１へ出力する。また、スケジューリング部２０５は、データ抽出部２０３５から入力された下りリンクで取得した制御データとトランスポートチャネルを、必要に応じて処理した後、下りリンクの論理チャネルにマッピングし、上位層２０７へ出力する。
【０１０３】
また、スケジューリング部２０５は、カウンタ制御部を含んでいる。カウンタ制御部は、あるコンポーネントキャリアのある信号に対して、送信カウンタや受信カウンタを割り当てることができ、ランダムアクセスプリアンブルの送信回数を計測するためのプリアンブル送信カウンタやスケジューリング要求の送信回数を計測するためのスケジューリング要求カウンタなどがある。また、必要に応じてサウンディング参照信号の送信回数を計測するための参照信号送信カウンタが含まれる場合もある。さらに、これらのカウンタは、コンポーネントキャリア毎に割り当てても良いし、送信アンテナポート毎に割り当てても良い。ここで、送信アンテナポートとは、論理的なアンテナのことであり、１つの物理的なアンテナに複数のアンテナポートを割り当てることもできるし、１つのアンテナポートを複数の物理的なアンテナで実現することもできる。
【０１０４】
カウンタ制御部は、Ａ−ＳＲＳの送信回数を計測するために、新たにカウンタを用意するか既存のカウンタであるプリアンブル送信カウンタかスケジューリング要求カウンタかを選択する。ただし、物理ランダムアクセスチャネルの送信期間内の場合やスケジューリング要求の送信期間内の場合、それらのカウンタはＡ−ＳＲＳの送信回数を計測するために使用されない。
【０１０５】
チャネル推定部２０８は、下りリンクデータの復調のために、ＤＬ−ＲＳから下りリンクのチャネル状態を推定し、その推定結果を復調部２０３３に出力する。また、チャネル推定部２０８は、基地局装置１に下りリンクのチャネル状態（無線伝搬路状態、ＣＳＩ、ＣＱＩ、ＰＭＩ、ＲＩ）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０５に出力する。
【０１０６】
参照信号生成部２０６は、参照信号制御部２０５１から入力されたＳＲＳ設定情報およびＳＲＳ送信制御情報を基に、ＳＲＳ（Ａ−ＳＲＳ、Ｐ−ＳＲＳ）を生成し、無線送信部２０１５に出力する。
【０１０７】
上位層２０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層２０７は、下位層の処理部を統合して制御するため、上位層２０７と、スケジューリング部２０５、チャネル推定部２０８、アンテナ２０９、送信部２０１、受信部２０３との間のインターフェースが存在する（ただし、図示しない）。
【０１０８】
上位層２０７は、無線リソース制御部２０７１（制御部とも言う）を有している。無線リソース制御部２０７１は、各種設定情報の管理、システム情報の管理、ページング制御、自局の通信状態の管理、ハンドオーバなどの移動管理、バッファ状況の管理、ユニキャストおよびマルチキャストベアラの接続設定の管理、移動局識別子（UEID）の管理を行う。また、上位層２０７は、基地局装置１から送信された無線リソース制御信号からＳＲＳ設定情報を取り出し、ＳＲＳのパラメータを設定する。また、受信したＤＣＩフォーマットからＡ−ＳＲＳの送信指示が含まれている場合には、Ａ−ＳＲＳの送信を考慮したスケジューリング情報を再設定し、スケジューリング部２０５へ出力する。また、上位層２０７は、基地局装置１からのＡ−ＳＲＳ送信指示に従って、Ａ−ＳＲＳをセットし、スケジューリング部２０５にスケジューリング情報として出力する。
【０１０９】
＜第１の実施形態＞
本発明の第１の実施形態について以下に説明する。第１の実施形態では、基地局装置は、サウンディング参照信号の周波数ホッピング指示を含む無線リソース制御信号を移動局装置へ通知し、サウンディング参照信号の送信指示を含む下りリンク制御情報フォーマットを移動局装置へ通知する。移動局装置は、受信した無線リソース制御信号に従って、サウンディング参照信号の周波数ホッピングを設定し、受信した下りリンク制御情報フォーマットにサウンディング参照信号の送信指示が含まれている場合には、サウンディング参照信号を基地局装置へ送信し、サウンディング参照信号の送信回数を計測する。
【０１１０】
第１の実施形態では、サウンディング参照信号用の送信カウンタを設けることで、既存の周波数ホッピング方法による周波数送信位置を算出することができ、ＤＣＩフォーマットに追加するオーバーヘッドを増大させることなく送信の度に周波数送信位置を変更することができる。
【０１１１】
＜第２の実施形態＞
次に本発明の第２の実施形態について以下に説明する。第２の実施形態では、基地局装置は、サウンディング参照信号の周波数ホッピング指示を含む無線リソース制御信号を移動局装置へ通知し、サウンディング参照信号の送信指示を含む下りリンク制御情報フォーマットを移動局装置へ通知する。移動局装置は、受信した無線リソース制御信号に従って、サウンディング参照信号の周波数ホッピングを設定し、プリアンブル送信カウンタをサウンディング参照信号の送信回数計測用にセットし、受信した下りリンク制御情報フォーマットにサウンディング参照信号の送信指示が含まれている場合には、サウンディング参照信号を基地局装置へ送信し、サウンディング参照信号の送信回数をプリアンブル送信カウンタで計測する。
【０１１２】
第２の実施形態では、既存の送信カウンタであるプリアンブル送信カウンタをサウンディング参照信号の送信回数計測用に用いることで移動局装置にサウンディング参照信号の送信回数計測用の新たなカウンタを生成する必要がなくなる。
【０１１３】
第２の実施形態では、移動局装置が物理ランダムアクセスチャネルを基地局装置へ送信する場合には、移動局装置が物理ランダムアクセスチャネルを基地局装置へ送信している期間は、スケジューリング要求カウンタを用いてサウンディング参照信号の送信回数を継続して計測することができる。物理ランダムアクセスチャネルの送信期間が終了した場合には、再びプリアンブル送信カウンタをサウンディング参照信号の送信回数計測用に割り当てることができる。
【０１１４】
図４は、第２の実施形態における移動局装置のサウンディング参照信号の送信回数計測用のカウンタの割り当て方法を示すフローチャートである。移動局装置は、受信したＤＣＩフォーマットにサウンディング参照信号の送信指示が含まれている場合（ステップＳ１０１：YES）には、サウンディング参照信号の送信回数計測用のカウンタとしてプリアンブル送信カウンタを割り当てる（ステップＳ１０２）。その時、物理ランダムアクセスチャネルを送信する場合（ステップＳ１０３：YES）には、スケジューリング要求カウンタをサウンディング参照信号の送信回数計測用のカウンタとして割り当てる（ステップＳ１０４）。さらに、その時、スケジューリング要求を送信する場合（ステップＳ１０５：YES）には、サウンディング参照信号を基地局装置へ送信してもその送信回数は計測しない（ステップＳ１０６）。サウンディング参照信号と共に物理ランダムアクセスチャネルを送信しない場合（ステップＳ１０３：NO）には、そのままプリアンブル送信カウンタをサウンディング参照信号の送信回数計測用のカウンタとして割り当てる。サウンディング参照信号と物理ランダムアクセスチャネルと共にスケジューリング要求を送信しない場合（ステップＳ１０５：NO）には、物理ランダムアクセスチャネルが送信完了するまでスケジューリング要求カウンタをサウンディング参照信号の送信回数計測用のカウンタとして使用する。
【０１１５】
＜第３の実施形態＞
次に本発明の第３の実施形態について以下に説明する。第３の実施形態では、基地局装置は、サウンディング参照信号の周波数ホッピング指示を含む無線リソース制御信号を移動局装置へ通知し、サウンディング参照信号の送信指示を含む下りリンク制御情報フォーマットを移動局装置へ通知する。移動局装置は、受信した無線リソース制御信号に従って、サウンディング参照信号の周波数ホッピングを設定し、スケジューリング要求の送信回数計測用のスケジューリング要求カウンタをサウンディング参照信号の送信回数計測用として割り当て、受信した下りリンク制御情報フォーマットにサウンディング参照信号の送信指示が含まれている場合には、サウンディング参照信号を基地局装置へ送信し、サウンディング参照信号の送信回数をスケジューリング要求カウンタで計測する。
【０１１６】
第３の実施形態では、既存の送信カウンタであるスケジューリング要求カウンタをサウンディング参照信号の送信回数計測用に用いることで移動局装置にサウンディング参照信号の送信回数計測用の新たなカウンタを生成する必要がなくなる。
【０１１７】
第３の実施形態では、移動局装置がスケジューリング要求を基地局装置へ送信する場合には、移動局装置がスケジューリング要求を基地局装置へ送信している期間は、プリアンブル送信カウンタを用いてサウンディング参照信号の送信回数を継続して計測することができる。スケジューリング要求の送信期間が終了した場合には、再びスケジューリング要求カウンタをサウンディング参照信号の送信回数計測用に割り当てることができる。
【０１１８】
図５は、第３の実施形態における移動局装置のサウンディング参照信号の送信回数計測用のカウンタの割り当て方法を示すフローチャートである。移動局装置は、受信したＤＣＩフォーマットにサウンディング参照信号の送信指示が含まれている場合（ステップＳ２０１：YES）には、サウンディング参照信号の送信回数計測用のカウンタとしてスケジューリング要求カウンタを割り当てる（ステップＳ２０２）。その時、スケジューリング要求を送信する場合（ステップＳ２０３：YES）には、スケジューリング要求カウンタをサウンディング参照信号の送信回数計測用のカウンタとして割り当てる（ステップＳ２０４）。さらに、その時、物理ランダムアクセスチャネルを送信する場合（ステップＳ２０５：YES）には、サウンディング参照信号を基地局装置へ送信してもその送信回数は計測しない（ステップＳ２０６）。サウンディング参照信号と共にスケジューリング要求を送信しない場合（ステップＳ２０３：NO）には、そのままスケジューリング要求カウンタをサウンディング参照信号の送信回数計測用のカウンタとして割り当てる。サウンディング参照信号とケジューリング要求と共に物理ランダムアクセスチャネルスを送信しない場合（ステップＳ２０５：NO）には、スケジューリング要求が送信完了するまでプリアンブル送信カウンタをサウンディング参照信号の送信回数計測用のカウンタとして使用する。
【０１１９】
本発明によれば、移動局装置は、ＤＣＩフォーマットへのオーバーヘッドの増大を回避しつつ、サウンディング参照信号の周波数送信位置をサウンディング参照信号の送信毎に算出でき、効率的な通信を実現することができる。
【０１２０】
なお、上述した実施形態における基地局装置１と移動局装置３の一部の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的（ダイナミック）にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１２１】
また、上述した実施形態における移動局装置３および基地局装置１の一部、または全部を典型的には集積回路であるＬＳＩ（Large Scale Integration）として実現しても良い。移動局装置３および基地局装置１の各機能ブロックは個別にチップ化しても良いし、一部、または全部を集積してチップ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１２２】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１２３】
１  基地局装置
３  移動局装置
１０１  送信部（基地局側送信部）
１０３  受信部（基地局側受信部）
１０５  スケジューリング部
１０７  上位層
１０８  チャネル推定部
１０９  アンテナ
２０１  送信部（移動局側送信部）
２０３  受信部（移動局側受信部）
２０５  スケジューリング部
２０６  参照信号生成部
２０７  上位層
２０８  チャネル推定部
２０９  アンテナ
１０１１  データ制御部
１０１３  変調部
１０１５  無線送信部
１０３１  無線受信部
１０３３  復調部
１０３５  データ抽出部
１０７１  無線リソース制御部
２０１１  データ制御部
２０１３  変調部
２０１５  無線送信部
２０３１  無線受信部
２０３３  復調部
２０３５  データ抽出部
２０５１  参照信号制御部
２０７１  無線リソース制御部
【図１】
2012080328.tif 000003
【図２】
2012080328.tif 000004
【図３】
2012080328.tif 000005
【図４】
2012080328.tif 000006
【図５】
2012080328.tif 000007
【図６】
2012080328.tif 000008
【図７】
2012080328.tif 000009
【図８】
2012080328.tif 000010